(57)【特許請求の範囲】
【請求項１】
第一の構造体と、
第二の構造体と、
第三の構造体と、を備えた遊技台であって、
前記遊技台は、スロットマシンであり、
前記第一の構造体は、前記第二の構造体と前記第三の構造体の間に少なくとも配置された構造体であり、
前記第一の構造体は、ねじ（以下、「第一のねじ」という）によって前記第三の構造体に少なくとも取付可能な構造体であり、
前記第二の構造体は、第一の孔が少なくとも設けられた構造体であり、
前記第一の孔の大きさは、ドライバーの先端が少なくとも挿通可能な大きさであり、
前記第一のねじは、ドライバーによって操作されることで、前記第一の構造体から着脱可能なねじであり、
前記第二の構造体は、前記第一の構造体に取付可能な構造体であり、
前記第二の構造体が前記第一の構造体に取付けられていても、ドライバーによって前記第一のねじが操作可能であり、
前記第二の構造体の少なくとも一部は、前記第一の構造体の少なくとも一部を覆う構造体であり、
前記第一の構造体は、第二の孔が少なくとも設けられた構造体であり、
前記第一の構造体は、前記第二の孔の外側に突出部が少なくとも設けられた構造体であり、
前記突出部は前記第一のねじの回転軸に沿う方向において該第一のねじの頭部よりも突出している、
ことを特徴とする遊技台。
【請求項２】
第一の構造体と、
第二の構造体と、
第三の構造体と、を備えた遊技台であって、
前記遊技台は、ぱちんこ機であり、
前記第一の構造体は、前記第二の構造体と前記第三の構造体の間に少なくとも配置された構造体であり、
前記第一の構造体は、ねじ（以下、「第一のねじ」という）によって前記第三の構造体に少なくとも取付可能な構造体であり、
前記第二の構造体は、第一の孔が少なくとも設けられた構造体であり、
前記第一の孔の大きさは、ドライバーの先端が少なくとも挿通可能な大きさであり、
前記第一のねじは、ドライバーによって操作されることで、前記第一の構造体から着脱可能なねじであり、
前記第二の構造体は、前記第一の構造体に取付可能な構造体であり、
前記第二の構造体が前記第一の構造体に取付けられていても、ドライバーによって前記第一のねじが操作可能であり、
前記第二の構造体の少なくとも一部は、前記第一の構造体の少なくとも一部を覆う構造体であり、
前記第一の構造体は、第二の孔が少なくとも設けられた構造体であり、
前記第一の構造体は、前記第二の孔の外側に突出部が少なくとも設けられた構造体であり、
前記突出部は前記第一のねじの回転軸に沿う方向において該第一のねじの頭部よりも突出している、
ことを特徴とする遊技台。
【請求項３】
請求項１または２に記載の遊技台であって、
前記第一の構造体は、ねじ（以下、「第二のねじ」という）によって前記第三の構造体に少なくとも取付可能な構造体であり、
前記第二の構造体は、第三の孔が少なくとも設けられた構造体であり、
前記第三の孔の大きさは、ドライバーの先端が少なくとも挿通可能な大きさであり、
前記第二の構造体が前記第一の構造体に取付けられていても、ドライバーによって前記第二のねじが操作可能である、
ことを特徴とする遊技台。
【請求項４】
請求項１乃至３のいずれか一項に記載の遊技台であって、
前記第一の構造体は、透明部材により少なくとも構成された構造体であり、
前記第二の構造体は、透明部材により少なくとも構成された構造体である、
ことを特徴とする遊技台。
【発明の詳細な説明】
【技術分野】
【０００１】
本発明は、スロットマシンやパチンコ機などに代表される遊技台に関する。
【背景技術】
【０００２】
パチンコ機などの従来の遊技台は、複数個の図柄を変動表示可能な図柄表示部を備え、始動口に遊技球が入賞すると、図柄表示部の図柄を所定時間変動させ、変動後の図柄が予め定めた特定図柄の組み合わせである特定態様になった場合に、可変入賞口を所定時間開放させる等、遊技者に有利な遊技状態を発生させるように構成している。そして、このような遊技者に有利な遊技状態の発生の有無を制御することによって、遊技者が特典を得る機会を増減させて遊技台の興趣性を向上させている。
【０００３】
このような従来の遊技台の一つとして、複数の遊技部材が重ねて取り付けられた遊技台が提案されている（例えば、特許文献１参照）。
【先行技術文献】
【特許文献】
【０００４】
【特許文献１】特開２００６−２３０７１８号公報
【発明の概要】
【発明が解決しようとする課題】
【０００５】
しかしながら、従来の遊技台は、構造体について改良の余地がある。
【０００６】
本発明の目的は、構造体を特徴とする遊技台を提供することにある。
【課題を解決するための手段】
【０００７】
本発明は、第一の構造体と、第二の構造体と、第三の構造体と、を備えた遊技台であって、前記遊技台は、スロットマシンであり、前記第一の構造体は、前記第二の構造体と前記第三の構造体の間に少なくとも配置された構造体であり、前記第一の構造体は、ねじ（以下、「第一のねじ」という）によって前記第三の構造体に少なくとも取付可能な構造体であり、前記第二の構造体は、第一の孔が少なくとも設けられた構造体であり、前記第一の孔の大きさは、ドライバーの先端が少なくとも挿通可能な大きさであり、前記第一のねじは、ドライバーによって操作されることで、前記第一の構造体から着脱可能なねじであり、前記第二の構造体は、前記第一の構造体に取付可能な構造体であり、前記第二の構造体が前記第一の構造体に取付けられていても、ドライバーによって前記第一のねじが操作可能であり、前記第二の構造体の少なくとも一部は、前記第一の構造体の少なくとも一部を覆う構造体であり、前記第一の構造体は、第二の孔が少なくとも設けられた構造体であり、前記第一の構造体は、前記第二の孔の外側に突出部が少なくとも設けられた構造体であり、前記突出部は前記第一のねじの回転軸に沿う方向において該第一のねじの頭部よりも突出している、ことを特徴とする遊技台である。
【０００８】
また、本発明は、第一の構造体と、第二の構造体と、第三の構造体と、を備えた遊技台であって、前記遊技台は、ぱちんこ機であり、前記第一の構造体は、前記第二の構造体と前記第三の構造体の間に少なくとも配置された構造体であり、前記第一の構造体は、ねじ（以下、「第一のねじ」という）によって前記第三の構造体に少なくとも取付可能な構造体であり、前記第二の構造体は、第一の孔が少なくとも設けられた構造体であり、前記第一の孔の大きさは、ドライバーの先端が少なくとも挿通可能な大きさであり、前記第一のねじは、ドライバーによって操作されることで、前記第一の構造体から着脱可能なねじであり、前記第二の構造体は、前記第一の構造体に取付可能な構造体であり、前記第二の構造体が前記第一の構造体に取付けられていても、ドライバーによって前記第一のねじが操作可能であり、前記第二の構造体の少なくとも一部は、前記第一の構造体の少なくとも一部を覆う構造体であり、前記第一の構造体は、第二の孔が少なくとも設けられた構造体であり、前記第一の構造体は、前記第二の孔の外側に突出部が少なくとも設けられた構造体であり、前記突出部は前記第一のねじの回転軸に沿う方向において該第一のねじの頭部よりも突出している、ことを特徴とする遊技台である。
【発明の効果】
【０００９】
本発明によれば、構造体に特徴を持った遊技台を提供できる。
【図面の簡単な説明】
【００１０】
【図１】パチンコ機を正面側（遊技者側）から見た外観斜視図である。
【図２】遊技盤を正面から見た略示正面図である。
【図３】制御部の回路ブロック図を示したものである。
【図４】扉部材から電源基板取付部材を取り外し、且つ、電源基板取付部材から払出基板取付部材を取り外した状態を示した図である。
【図５】扉部材に電源基板取付部材を取り付けた状態で電源基板取付部材から払出基板取付部材のみを取り外した状態を示した図である。
【図６】電源基板取付部材に払出基板取付部材を取り付けた状態で扉部材から電源基板取付部材および払出基板取付部材を取り外した状態を示した図である。
【図７】（ａ）電源管理部を構成する電源基板が取り付けられた電源基板取付部材と、払出制御部を構成する払出基板が取り付けられた払出基板取付部材を正面斜め上から見た正面側斜視図である。（ｂ）（ａ）に示す各部材を背面斜め上から見た背面側斜視図である。
【図８】図７（ａ）に示す各部材を左側から見た左側面図である。
【図９】電源基板が取り外された状態の電源基板取付部材と、払出基板が取り外された状態の払出基板取付部材を正面斜め上から見た正面側斜視図である。
【図１０】（ａ）電源基板が取り付けられた電源基板取付部材に、払出基板が取り付けられた払出基板取付部材を取り付けた状態を正面斜め上から見た正面側斜視図である。（ｂ）（ａ）を背面斜め上から見た背面斜視図である。
【図１１】（ａ）図１０に示す取り付け状態の正面図である。（ｂ）図１０に示す取り付け状態の背面図である。（ｃ）（ａ）の矢視Ｃから見た側面図である。
【図１２】（ａ）取付ねじの側断面図である。（ｂ）図９のＢ−Ｂ線に沿う、払出基板取付部材の固定部の断面図である。（ｃ）図９のＢ−Ｂ線に沿う、電源基板取付部材の固定部の断面図である。
【図１３】図１１のＤ−Ｄ線に沿う断面図であり、扉側取付台に電源基板取付部材の固定部を取り付け、且つ、電源基板取付部材の固定部にさらに払出基板取付部材の固定部を取り付けた状態を示す断面図である。
【図１４】他の実施例に係る工具挿通孔を示した図である。
【図１５】扉部材に電源基板取付部材および払出基板取付部材を取り付けた状態を示した図である。
【図１６】扉部材から電源基板取付部材を取り外し、且つ、電源基板取付部材から払出基板取付部材を取り外した状態を示した図である。
【図１７】電源基板取付部材に払出基板取付部材を取り付けた状態で扉部材から電源基板取付部材および払出基板取付部材を取り外した状態を示した図である。
【図１８】（ａ）電源基板取付部材および払出基板取付部材を正面斜め上から見た正面側斜視図である。（ｂ）電源基板取付部材および払出基板取付部材を背面斜め上から見た背面側斜視図である。
【図１９】（ａ）電源基板が取り付けられた電源基板取付部材に、払出基板が取り付けられた払出基板取付部材を取り付けた状態を左側から見た左側面図である。（ｂ）同状態の背面図である。
【図２０】扉部材から電源基板取付部材を取り外し、且つ、電源基板取付部材から払出基板取付部材を取り外した状態を示した図である。
【図２１】（ａ）電源基板取付部材および払出基板取付部材の正面図である。（ｂ）電源基板取付部材および払出基板取付部材の背面図である。
【図２２】（ａ）扉側取付台の雌ねじ部と、電源基板取付部材の固定部と、払出基板取付部材の工具挿通孔を抜き出して示した図である。（ｂ）扉側取付台の雌ねじ部と、電源基板取付部材の固定部と、払出基板取付部材の工具挿通孔の断面図である。
【発明を実施するための形態】
【００１１】
以下、図面を用いて、本発明の実施例１に係るパチンコ機（遊技台）について詳細に説明する。
【実施例１】
【００１２】
＜全体構成＞
【００１３】
まず、図１を用いて、パチンコ機１００の全体構成について説明する。なお、同図はパチンコ機１００を正面側（遊技者側）から見た外観斜視図である。
【００１４】
パチンコ機１００は、ガラス製または樹脂製の透明板部材１５２および透明部材保持枠（ガラス枠）１５４からなる扉部材１５６の奥側に視認可能に配設した後述する遊技盤(盤面)１０２を備えている。なお、扉部材１５６は、遊技島（図示省略）に固定される外枠１５７の正面視左側に配設されたヒンジ１５９によって回動可能に支持されている。
【００１５】
また、発射杆１３８および発射槌１４０の下方には、発射杆１３８を制御して遊技領域１０４に向けて球の発射強度の操作を行うための操作ハンドル１４８を配設していると共に、貯留皿１４４の下方には、貯留皿１４４に貯留できない溢れ球を貯留するための下皿１５０を設けている。
【００１６】
図２は、遊技盤１０２を正面から見た略示正面図である。遊技盤１０２には、外レール１０６と内レール１０８とを配設し、遊技球（以下、単に「球」と称する場合がある。）が転動可能な遊技領域１０４を区画形成している。
【００１７】
遊技領域１０４の略中央には、演出装置２００を配設している。この演出装置２００には、略中央に横長の装飾図柄表示装置１１０を配設し、その周囲に、普通図柄表示装置１１２と、特別図柄表示装置１１４と、普通図柄保留ランプ１１６と、特別図柄保留ランプ１１８と、高確中ランプ１２０を配設している。なお、以下、普通図柄を「普図」、特別図柄を「特図」と称する場合がある。
【００１８】
演出装置２００は、可動部を動作して演出を行うものであり、詳細については後述する。装飾図柄表示装置１１０は、装飾図柄ならびに演出に用いる様々な画像を表示するための表示装置であり、本実施例では液晶表示装置（Ｌｉｑｕｉｄ  Ｃｒｙｓｔａｌ  Ｄｉｓｐｌａｙ）によって構成する。この装飾図柄表示装置１１０は、左図柄表示領域１１０ａ、中図柄表示領域１１０ｂ、右図柄表示領域１１０ｃおよび演出表示領域１１０ｄの４つの表示領域に分割し、左図柄表示領域１１０ａ、中図柄表示領域１１０ｂおよび左図柄表示領域１１０ｃはそれぞれ異なった装飾図柄を表示し、演出表示領域１１０ｄは演出に用いる画像を表示する。さらに、各表示領域１１０ａ、１１０ｂ、１１０ｃ、１１０ｄの位置や大きさは、装飾図柄表示装置１１０の表示画面内で自由に変更することを可能としている。なお、装飾図柄表示装置１１０は、液晶表示装置に代えて、ドットマトリクス表示装置、７セグメント表示装置、ＥＬ（ＥｌｅｃｔｒｏＬｕｍｉｎｅｓｃｅｎｃｅ）表示装置、ドラム式表示装置、リーフ式表示装置等他の表示デバイスを採用してもよい。
【００１９】
普図表示装置１１２は、普図の表示を行うための表示装置であり、本実施例では７セグメントＬＥＤによって構成する。特図表示装置１１４は、特図の表示を行うための表示装置であり、本実施例では７セグメントＬＥＤによって構成する。
【００２０】
普図保留ランプ１１６は、保留している普図変動遊技の数を示すためのランプであり、本実施例では、普図変動遊技を２つまで保留することを可能としている。特図保留ランプ１１８は、保留している特図変動遊技の数を示すためのランプであり、本実施例では、特図変動遊技を４つまで保留することを可能としている。高確中ランプ１２０は、遊技状態が高確率状態（後述する大当り遊技の当選確率を通常の確率よりも高く設定した遊技状態）であること、または高確率状態になることを示すためのランプであり、遊技状態を低確率状態（後述する大当り遊技の当選確率を通常の確率に設定した遊技状態）から高確率状態にする場合に点灯し、高確率状態から低確率状態にする場合に消灯する。
【００２１】
また、この演出装置２００の周囲には、一般入賞口１２２と、普図始動口１２４と、第１特図始動口１２６と、第２特図始動口１２８と、可変入賞口１３０を配設している。一般入賞口１２２は、本実施例では遊技盤１０２に複数配設しており、この一般入賞口１２２への入球を所定の球検出センサ（図示省略）が検出した場合（一般入賞口１２２に入賞した場合）、後述する払出装置５５２を駆動し、所定の個数（本実施例では１０個）の球を賞球として貯留皿１４４に排出する。貯留皿１４４に排出した球は遊技者が自由に取り出すことが可能であり、これらの構成により、入賞に基づいて賞球を遊技者に払い出すようにしている。なお、一般入賞口１２２に入球した球は、パチンコ機１００の裏側に誘導した後、遊技島側に排出する。本実施例では、入賞の対価として遊技者に払い出す球を「賞球」、遊技者に貸し出す球を「貸球」と区別して呼ぶ場合があり、「賞球」と「貸球」を総称して「球（遊技球）」と呼ぶ。
【００２２】
普図始動口１２４は、ゲートやスルーチャッカーと呼ばれる、遊技領域の所定の領域を球が通過したか否かを判定するための装置で構成しており、本実施例では遊技盤１０２の左側に１つ配設している。普図始動口１２４を通過した球は一般入賞口１２２に入球した球と違って、遊技島側に排出することはない。球が普図始動口１２４を通過したことを所定の玉検出センサが検出した場合、パチンコ機１００は、普図表示装置１１２による普図変動遊技を開始する。
【００２３】
第１特図始動口１２６は、本実施例では遊技盤１０２の中央に１つだけ配設している。この第１特図始動口１２６への入球を所定の球検出センサが検出した場合、後述する払出装置５５２を駆動し、所定の個数（本実施例では３個）の球を賞球として貯留皿１４４に排出するとともに、特図表示装置１１４による特図変動遊技を開始する。なお、第１特図始動口１２６に入球した球は、パチンコ機１００の裏側に誘導した後、遊技島側に排出する。
【００２４】
第２特図始動口１２８は、電動チューリップ（電チュー）と呼ばれ、本実施例では第１特図始動口１２６の真下に１つだけ配設している。この第２特図始動口１２８は、左右に開閉自在な羽根を備え、羽根の閉鎖中は球の入球が不可能であり、普図変動遊技に当選し、普図表示装置１１２が当たり図柄を停止表示した場合に羽根が所定の時間間隔、所定の回数で開閉する。第２特図始動口１２８への入球を所定の球検出センサが検出した場合、後述する払出装置５５２を駆動し、所定の個数（本実施例では５個）の球を賞球として後述する貯留皿１４４に排出するとともに、特図表示装置１１４による特図変動遊技を開始する。なお、第２特図始動口１２８に入球した球は、パチンコ機１００の裏側に誘導した後、遊技島側に排出する。
【００２５】
可変入賞口１３０は、大入賞口またはアタッカーと呼ばれ、本実施例では遊技盤１０２の中央部下方に１つだけ配設している。この可変入賞口１３０は、開閉自在な扉部材を備え、扉部材の閉鎖中は球の入球が不可能であり、特図変動遊技に当選し、特図表示装置１１４が大当たり図柄を停止表示した場合に扉部材が所定の時間間隔（例えば、開放時間２９秒、閉鎖時間１．５秒）、所定の回数（例えば１５回）で開閉する。可変入賞口１３０への入球を所定の球検出センサが検出した場合、後述する払出装置５５２を駆動し、所定の個数（本実施例では１５球）の球を賞球として貯留皿１４４に排出する。なお、可変入賞口１３０に入球した球は、パチンコ機１００の裏側に誘導した後、遊技島側に排出する。
【００２６】
さらに、これらの入賞口や始動口の近傍には、風車と呼ばれる円盤状の打球方向変換部材１３２や、遊技釘１３４を複数個、配設していると共に、内レール１０８の最下部には、いずれの入賞口や始動口にも入賞しなかった球をパチンコ機１００の裏側に誘導した後、遊技島側に排出するためのアウト口１３６を設けている。
【００２７】
このパチンコ機１００は、遊技者が貯留皿１４４に貯留している球を発射レール１４２の発射位置に供給し、遊技者の操作ハンドル１４８の操作量に応じた強度で発射モータ６０２を駆動し、発射杆１３８および発射槌１４０によって外レール１０６、内レール１０８を通過させて遊技領域１０４に打ち出す。そして、遊技領域１０４の上部に到達した球は、打球方向変換部材１３２や遊技釘１３４等によって進行方向を変えながら下方に落下し、入賞口（一般入賞口１２２、可変入賞口１３０）や始動口（第１特図始動口１２６、第２特図始動口１２８）に入賞するか、いずれの入賞口や始動口にも入賞することなく、または普図始動口１２４を通過するのみでアウト口１３６に到達する。
【００２８】
＜演出装置＞
【００２９】
次に、パチンコ機１００の演出装置２００について説明する。この演出装置２００の前面側には、ワープ装置２３０およびステージを配設し、演出装置２００の背面側には、装飾図柄表示装置１１０および遮蔽手段２５０を配設している。すなわち、演出装置２００において、装飾図柄表示装置１１０および遮蔽手段２５０は、ワープ装置２３０およびステージの後方に位置することとなる。
【００３０】
ワープ装置２３０は、演出装置２００の左上方に設けた入球口２３２に入った遊技球を演出装置２００の前面下方の前面ステージ２３４に排出し、さらに、前面ステージ２３４に排出した遊技球が前面ステージ２３４の中央部後方に設けた第２の入球口２３６に入った場合は、遊技球を、第１特図始動口１２６の上方である演出装置２００の下部中央に設けた排出口２３８から第１特図始動口１２６に向けて排出するものである。この排出口２３８から排出した遊技球は特図始動口１２６に入球しやすくなっている。
【００３１】
遮蔽手段２５０は、格子状の左扉２５０ａおよび右扉２５０ｂからなり、装飾図柄表示装置１１０および前面ステージ２３４の間に配設する。左扉２５０ａおよび右扉２５０ｂの上部には、図示しない２つのプーリに巻き回したベルトをそれぞれ固定している。すなわち、左扉２５０ａおよび右扉２５０ｂは、モータによりプーリを介して駆動するベルトの動作に伴って左右にそれぞれ移動する。遮蔽手段２５０は、左右扉２５０ａ、２５０ｂを閉じた状態ではそれぞれの内側端部が重なり、遊技者が装飾図柄表示装置１１０を視認し難いように遮蔽する。左右扉２５０ａ、２５０ｂを開いた状態ではそれぞれの内側端部が装飾図柄表示装置１１０の表示画面の外側端部と若干重なるが、遊技者は装飾図柄表示装置１１０の表示の全てを視認可能である。また、左右扉２５０ａ、２５０ｂは、それぞれ任意の位置で停止可能であり、例えば、表示した装飾図柄がどの装飾図柄であるかを遊技者が識別可能な程度に、装飾図柄の一部だけを遮蔽するようなことができる。なお、左右扉２５０ａ、２５０ｂは、格子の孔から後方の装飾図柄表示装置１１０の一部を視認可能にしてもよいし、格子の孔の障子部分を半透明のレンズ体で塞ぎ、後方の装飾図柄表示装置１１０による表示を漠然と遊技者に視認させるようにしてもよいし、格子の孔の障子部分を完全に塞ぎ（遮蔽し）、後方の装飾図柄表示装置１１０を全く視認不可にしてもよい。
【００３２】
＜制御部＞
【００３３】
次に、図３を用いて、このパチンコ機１００の制御部の回路構成について詳細に説明する。なお、同図は制御部の回路ブロック図を示したものである。
【００３４】
パチンコ機１００の制御部は、大別すると、遊技の中枢部分を制御する主制御部３００と、主制御部３００が送信するコマンド信号（以下、単に「コマンド」と呼ぶ）に応じて、主に演出の制御を行う副制御部４００と、主制御部３００が送信するコマンドに応じて、主に遊技球の払い出しに関する制御を行う払出制御部５５０と、遊技球の発射制御を行う発射制御部６００と、パチンコ機１００に供給される電源を制御する電源管理部６５０によって構成している。
【００３５】
＜主制御部＞
【００３６】
まず、パチンコ機１００の主制御部３００について説明する。
【００３７】
主制御部３００は、主制御部３００の全体を制御する基本回路３０２を備えており、この基本回路３０２には、ＣＰＵ３０４と、制御プログラムや各種データを記憶するためのＲＯＭ３０６と、一時的にデータを記憶するためのＲＡＭ３０８と、各種デバイスの入出力を制御するためのＩ／Ｏ３１０と、時間や回数等を計測するためのカウンタタイマ３１２を搭載している。なお、ＲＯＭ３０６やＲＡＭ３０８については他の記憶手段を用いてもよく、この点は後述する副制御部４００についても同様である。この基本回路３０２のＣＰＵ３０４は、水晶発振器３１４が出力する所定周期のクロック信号をシステムクロックとして入力して動作する。
【００３８】
また、基本回路３０２には、水晶発振器３１４が出力するクロック信号を受信する度に０〜６５５３５の範囲で数値を変動させるハードウェア乱数カウンタとして使用しているカウンタ回路３１６（この回路には２つのカウンタを内蔵しているものとする）と、各始動口、入賞口の入り口および可変入賞口の内部に設けた球検出センサを含む各種センサ３１８が出力する信号を受信し、増幅結果や基準電圧との比較結果をカウンタ回路３１６および基本回路３０２に出力するためのセンサ回路３２０と、特図表示装置１１４の表示制御を行うための表示回路３２２と、普図表示装置１１２の表示制御を行うための表示回路３２４と、各種状態表示部３２６（普図保留ランプ１１６、特図保留ランプ１１８、高確中ランプ１１８等）の表示制御を行うための表示回路３２８と、第２特図始動口１２８や可変入賞口１３０等を開閉駆動する各種ソレノイド３３０を制御するためのソレノイド回路３３２を接続している。
【００３９】
なお、第１特図始動口１２６に球が入賞したことを球検出センサ３１８が検出した場合には、センサ回路３２０は球を検出したことを示す信号をカウンタ回路３１６に出力する。この信号を受信したカウンタ回路３１６は、第１特図始動口１２６に対応するカウンタのそのタイミングにおける値をラッチし、ラッチした値を、第１特図始動口１２６に対応する内蔵のカウンタ値記憶用レジスタに記憶する。また、カウンタ回路３１６は、第２特図始動口１２８に球が入賞したことを示す信号を受信した場合も同様に、第２特図始動口１２８に対応するカウンタのそのタイミングにおける値をラッチし、ラッチした値を、第２特図始動口１２８に対応する内蔵のカウンタ値記憶用レジスタに記憶する。
【００４０】
さらに、基本回路３０２には、情報出力回路３３４を接続しており、主制御部３００は、この情報出力回路３３４を介して、外部のホールコンピュータ（図示省略）等が備える情報入力回路６５２にパチンコ機１００の遊技情報（例えば、遊技状態）を出力する。
【００４１】
また、主制御部３００は、副制御部４００にコマンドを送信するための出力インタフェースと、払出制御部５５０にコマンドを送信するための出力インタフェースをそれぞれ備えており、この構成により、副制御部４００および払出制御部５５０との通信を可能としている。なお、主制御部３００と副制御部４００および払出制御部５５０との情報通信は一方向の通信であり、主制御部３００は副制御部４００および払出制御部５５０にコマンド等の信号を送信できるように構成しているが、副制御部４００および払出制御部５５０からは主制御部３００にコマンド等の信号を送信できないように構成している。
【００４２】
＜副制御部＞
【００４３】
次に、パチンコ機１００の副制御部４００について説明する。
【００４４】
副制御部４００は、主に主制御部３００が送信したコマンド等に基づいて副制御部４００の全体を制御する基本回路４０２を備えており、この基本回路４０２には、ＣＰＵ４０４と、制御プログラムや各種データを記憶するためのＲＯＭ４０６と、一時的にデータを記憶するためのＲＡＭ４０８と、各種デバイスの入出力を制御するためのＩ／Ｏ４１０と、時間や回数等を計測するためのカウンタタイマ４１２を搭載している。この基本回路４０２のＣＰＵ４０４は、水晶発振器４１４が出力する所定周期のクロック信号をシステムクロックとして入力して動作する。
【００４５】
また、基本回路４０２には、スピーカ４１６（およびアンプ）の制御を行うための音源ＩＣ４１８と、各種ランプ４２０の制御を行うための表示回路４２２と、演出装置２００の演出用可動体等を駆動する駆動装置であるソレノイドまたはモータ等が含まれる各種演出用駆動装置４２４の制御を行うための演出用駆動装置制御回路４２６と、装飾図柄表示装置（液晶表示装置）１１０および遮蔽手段２５０の制御を行うための副制御部５００と、チャンスボタン１４６の押下を検出して信号を出力するチャンスボタン検出回路３８０を接続している。
【００４６】
＜払出制御部、発射制御部、電源管理部＞
【００４７】
次に、パチンコ機１００の払出制御部５５０、発射制御部６００、電源管理部６５０について説明する。
【００４８】
払出制御部５５０は、主に主制御部３００が送信したコマンド等の信号に基づいて払出装置５５２を制御すると共に、払出センサ５５４が出力する制御信号に基づいて賞球または貸球の払い出しが完了したか否かを検出すると共に、インタフェース部５５６を介して、パチンコ機１００とは別体で設けられたカードユニット６５４との通信を行う。
【００４９】
発射制御部６００は、払出制御部５５０が出力する、発射許可または停止を指示する制御信号や、操作ハンドル１４８内に設けた発射強度出力回路が出力する、遊技者による発射ハンドル１４８の操作量に応じた発射強度を指示する制御信号に基づいて、発射杆１３８および発射槌１４０を駆動する発射モータ６０２の制御や、貯留皿１４４から発射レール１４２に球を供給する球送り装置６０４の制御を行う。
【００５０】
電源管理部６５０は、パチンコ機１００に外部から供給される交流電源を直流化し、所定の電圧に変換して主制御部３００、副制御部４００等の各制御部や払出装置５５２等の各装置に供給する。さらに、電源管理部６５０は、外部からの電源が断たれた後も所定の部品（例えば主制御部３００のＲＡＭ３０８等）に所定の期間（例えば１０日間）電源を供給するための蓄電回路（例えばコンデンサ）を備えている。
【００５１】
＜パチンコ機の内部構造＞
【００５２】
図４〜図６は、パチンコ機１００の扉部材１５６を開放してパチンコ機１００の内部構造を示した図である。より詳細には、図４は、扉部材１５６から電源基板取付部材７００を取り外し、且つ、電源基板取付部材７００から払出基板取付部材８００を取り外した状態を示した図である。また、図５は、扉部材１５６に電源基板取付部材７００を取り付けた状態で電源基板取付部材７００から払出基板取付部材８００のみを取り外した状態を示した図である。また、図６は、電源基板取付部材７００に払出基板取付部材８００を取り付けた状態で扉部材１５６から電源基板取付部材７００および払出基板取付部材８００を取り外した状態を示した図である。
【００５３】
図４に示すように、扉部材１５６の背面上部には、球を一時的に貯留するための球タンク１６０と、この球タンク１６０の下方に位置し、球タンク１６０の底部に形成した連通孔を通過して落下する球を背面右側に位置する払出装置５５２に導くためのタンクレール１６１とが配設されている。
【００５４】
払出装置５５２は、筒状の部材からなり、その内部には、スプロケット１６２と払出センサ（図示省略）とを備えている。スプロケット１６２は、モータ（図示省略）によって回転可能に構成されており、タンクレール１６１を通過して払出装置５５２内に落下した球を一時的に滞留させると共に、モータを駆動して所定角度だけ回転することにより、一時的に滞留した球を払出装置５５２の下方へ１個ずつ送り出すように構成している。払出センサは、スプロケット１６２が送り出した球の通過を検知するためのセンサである。なお、この払出センサを通過した球は、球レール１６３を通過してパチンコ機１００の表側に配設した貯留皿１４４に到達するように構成しており、パチンコ機１００は、この構成により遊技者に対して球の払い出しを行う。
【００５５】
また、扉部材１５６の背面視左下には、上述の発射モータ６０２と、上述の発射制御部６００を構成する発射基板１６４と、が配設され、この発射基板１６４の背面視左側には、後述する電源基板取付部材７００を取り付けるための扉側取付台１６８が設けられている。
【００５６】
＜電源基板取付部材、払出基板取付部材の全体構成＞
【００５７】
次に、図７〜図１１を用いて、電源基板取付部材７００と払出基板取付部材８００について詳細に説明する。なお、図７（ａ）は、上述の電源管理部６５０を構成する電源基板１６５が取り付けられた電源基板取付部材７００と、上述の払出制御部５５０を構成する払出基板１６６が取り付けられた払出基板取付部材８００を正面斜め上から見た正面側斜視図であり、同図（ｂ）は、同図（ａ）に示す各部材を背面斜め上から見た背面側斜視図である。また、図８は、図７（ａ）に示す各部材を左側から見た左側面図である。また、図９は、電源基板１６５が取り外された状態の電源基板取付部材７００と、払出基板１６６が取り外された状態の払出基板取付部材８００を正面斜め上から見た正面側斜視図である。また、図１０（ａ）は、電源基板１６５が取り付けられた電源基板取付部材７００に、払出基板１６６が取り付けられた払出基板取付部材８００を取り付けた状態を正面斜め上から見た正面側斜視図であり、同図（ｂ）は、同図（ａ）を背面斜め上から見た背面斜視図である。また、図１１（ａ）は、図１０に示す取り付け状態の正面図、同図（ｂ）は、図１０に示す取り付け状態の背面図、同図（ｃ）は、同図（ａ）の矢視Ｃから見た側面図である。
【００５８】
図７（ａ）および図９に示すように、電源基板取付部材７００の正面視右端には、下端近傍と中央やや上寄りの位置に２つのヒンジ部７０２が外側に向けて突出形成されている。このヒンジ部７０２には、パチンコ機１００の扉部材１５６の背面視右下に設けられたヒンジ軸（図示省略）が通されるヒンジ穴７０２ａが形成されている。電源基板取付部材７００は、これら２つのヒンジ部７０２を介して扉部材１５６のヒンジ軸に取り付けられ、このヒンジ軸を回動中心として水平方向に回動自在に構成される。また、電源基板取付部材７００の正面視左端（回動中心から最も離れた位置）には、電源基板取付部材７００を扉側取付台１６８に固定するための固定部７０４が形成されている。なお、電源基板取付部材７００の固定部７０４については後述する。
【００５９】
また、図９に示すように、電源基板取付部材７００における払出基板取付部材８００側の面は、電源基板１６５を取り付けるための取付座面７０６とされており、電源基板１６５は、この取付座面７０６に嵌め込まれた後に取付ねじ（図示省略）によって電源基板取付部材７００に固定される。
【００６０】
一方、払出基板取付部材８００の正面視右側には、上端近傍と中央やや下寄りの２箇所に２つのヒンジ部８０２が外側に向けて突出形成されている。このヒンジ部８０２には、上述のヒンジ軸が通されるヒンジ穴が形成されている。払出基板取付部材８００は、これら２つのヒンジ部８０２を介して扉部材１５６のヒンジ軸に取り付けられ、このヒンジ軸を回動中心として水平方向に回動自在に構成される。また、払出基板取付部材８００の正面視左端（回動中心から最も離れた位置）には、払出基板取付部材８００を電源基板取付部材７００に固定するための固定部８０４が形成されている。なお、払出基板取付部材８００の固定部８０４については後述する。
【００６１】
また、図９に示すように、払出基板取付部材８００における電源基板取付部材７００の反対側の面は、払出基板１６６を取り付けるための取付座面８０６とされており、払出基板１６６は、この取付座面８０６に嵌め込まれた後に取付ねじ（図示省略）によって払出基板取付部材８００に固定される。
【００６２】
＜電源基板取付部材７００と払出基板取付部材８００の固定部＞
【００６３】
次に、図１２および図１３を用いて、電源基板取付部材７００の固定部７０４と、払出基板取付部材８００の固定部８０４について詳細に説明する。なお、図１２（ａ）は、取付ねじ８５０の側断面図、同図（ｂ）は、図９のＢ−Ｂ線に沿う、払出基板取付部材８００の固定部８０４の断面図、同図（ｃ）は、図９のＢ−Ｂ線に沿う、電源基板取付部材７００の固定部７０４の断面図である。また、図１３は、図１１のＤ−Ｄ線に沿う断面図であり、扉側取付台１６８に電源基板取付部材７００の固定部７０４を取り付け、且つ、電源基板取付部材７００の固定部７０４にさらに払出基板取付部材８００の固定部８０４を取り付けた状態を示す断面図である。
【００６４】
図１３に示すように、扉側取付台１６８は、縦長板状のベース部１６８ａと、このベース部１６８ａの上下に突出形成された２つの雌ねじ部１６８ｂを備えている。雌ねじ部１６８ｂの底部外面は、ベース部１６８ａから雌ねじ部１６８ｂの先端部に向けて次第に外径が小さくなるテーパ形状とされている。また、雌ねじ部１６８の内面には、先端部から底部近傍にかけて、取付ねじ８５０のねじ部８５０ｂが螺合可能な雌ねじが形成されている。
【００６５】
電源基板取付部材７００の固定部７０４の一方側の面（扉側取付台１６８側の面）には、扉側取付台１６８の雌ねじ部１６８ｂの外径よりもやや大きな内径を有する円筒形状の一方側円筒部７０４ａが上下に２つ突出形成されている。一方側円筒部７０４ａの先端部内面は、一方側円筒部７０４ａの底部から先端部に向けて次第に内径が大きくなるテーパ形状とされている。この一方側円筒部７０４ａの先端部内面のテーパ角は、上述の雌ねじ部１６８ｂの底部外面のテーパ角とほぼ同一とされ、一方側円筒部７０４ａが雌ねじ部１６８ｂの外側に嵌め込まれたときに、一方側円筒部７０４ａの先端部内面が、雌ねじ部１６８ｂの底部外面に当接するように構成されている。なお、各雌ねじ部１６８ｂは、電源基板取付部材７００を扉側取付台１６８に取り付ける際に、電源基板取付部材７００の一方側円筒部７０４ａを所定位置に案内するためのガイド部としても機能している。
【００６６】
一方、電源基板取付部材７００の固定部７０４の他方側の面（払出基板取付部材８００側の面）には、一方側円筒部７０４ａよりもやや大きな径を有する円筒形状の他方側円筒部７０４ｂが、一方側円筒部７０４ａと反対向きに２つ突出形成されているとともに、他端側円筒部７０４ｂの端部内面は、払出基板取付部材８００側から電源基板取付部材７００側に向かって次第に内径が小さくなるテーパ形状とされている。また、電源基板取付部材７００の固定部７０４には、取付ねじ８５０のねじ部８５０ｂの外径よりもやや大きな内径を有する貫通孔７０４ｃが、一方側円筒部７０４ａから他方側円筒部７０４ｂにかけて電源基板取付部材７００を貫通して形成されている。さらに、固定部７０４の他方側の面の中央部近傍には、払出基板取付部材８００側に開口された雌ねじ部７０４ｄが形成されている。この雌ねじ部７０４ｄの内面には、先端部近傍に、取付ねじ８５０のねじ部８５０ｂが螺合可能な雌ねじが形成されている。
【００６７】
電源基板取付部材７００を扉側取付台１６８に取り付ける場合には、電源基板取付部材７００の上下２つの一方側円筒部７０４ａを扉側取付台１６８の上下２つの雌ねじ部１６８ｂに嵌め込んで位置決めを行った後、２本の取付ねじ８５０のねじ部８５０ｂを貫通孔７０４ｃを通して雌ねじ部１６８の雌ねじに螺合することによって、電源基板取付部材７００を扉側取付台１６８に固定する。
【００６８】
また、払出基板取付部材８００の固定部８０４の一方側の面（電源基板取付部材７００側の面）には、固定部７０４の他方側円筒部７０４ｂの内径よりもやや小さな外径を有する円筒形状の一方側円筒部８０４ａが上下に２つ突出形成されている。これら２つの一方側円筒部８０４ａの内側空間は、取付ねじ８５０のねじ部８５０ｂを操作して電源基板取付部材７００を扉側取付台１６８から取り外すための工具（例えば、ドライバ）を挿通可能な工具挿通孔として機能する。この工具挿通孔の内径は、取付ねじ８５０の頭部８５０ａの外径よりもわずかに大きくなるように設計されるとともに、工具挿通孔の深さ（一方側円筒部８０４ａにおける電源基板取付部材７００側端部から払出基板取付部材８００側端部までの最大長さ）は、取付ねじ８５０の全長以上になるように設計されている。
【００６９】
また、一方側円筒部８０４ａの先端部は、一方側円筒部８０４ａが電源基板取付部材７００の他端側円筒部７０４ｂの内側に嵌め込まれたときに、他端側円筒部７０４ｂの底面に当接するように構成されている。なお、電源基板取付部材７００の他端側円筒部７０４ｂは、払出基板取付部材８００を電源基板取付部材７００に取り付ける際に、払出基板取付部材８００の一方側円筒部８０４ａを所定位置に案内するためのガイド部としても機能している。さらに、払出基板取付部材８００の固定部８０４の一方側の面の中央部近傍には、電源基板取付部材７００の固定部７０４の雌ねじ部７０４ｄの外径よりもやや小さな内径を有する円筒形状の一方側円筒部８０４ｂが突出形成されている。
【００７０】
一方、払出基板取付部材８００の固定部８０４の他方側の面には、一方側円筒部８０４ｂよりもやや大きな径を有する円筒形状の他方側円筒部８０４ｃが、一方側円筒部８０４ｂと反対向きに突出形成されている。また、払出基板取付部材８００の固定部８０４には、取付ねじ８５０のねじ部８５０ｂの外径よりもやや大きな内径を有する貫通孔８０４ｄが、一方側円筒部８０４ｂから他方側円筒部８０４ｃにかけて払出基板取付部材８００を貫通して形成されている。
【００７１】
払出基板取付部材８００を電源基板取付部材７００に取り付ける場合には、払出基板取付部材８００の上下２つの一方側円筒部８０４ａを電源基板取付部材７００の上下２つの他方側円筒部７０４ｂの内側に嵌め込むとともに、払出基板取付部材８００中央の一方側円筒部８０４ｂを電源基板取付部材７００の雌ねじ部７０４ｄの外側に嵌め込んで位置決めを行った後、１本の取付ねじ８５０のねじ部８５０ｂを貫通孔８０４ｄを通して雌ねじ部７０４ｄの雌ねじに螺合することによって、払出基板取付部材８００を電源基板取付部材７００に固定する。
【００７２】
なお、本発明の構成は、上記実施例で示した構成に限定されるものではなく、例えば、以下に示す構成を採用することもできる。
【００７３】
＜工具挿通孔の他の例＞
【００７４】
図１４（ａ）〜（ｄ）は、他の実施例に係る工具挿通孔を示した図であり、図１３に対応する断面図である。
【００７５】
例えば、図１４（ａ）に示すように、工具挿通孔８５１の周囲に電源基板取付部７００側とは反対方向に突出する円筒形状のリブ８５２を突出形成してもよい。このような構成とすれば、工具挿通孔の強度を高めることができる場合がある。また、取付ねじを取り外した場合に、取付ねじが工具挿通孔の外に飛び出すのを防ぐことができ、取付ねじの紛失を未然に防止できる場合がある。
【００７６】
また、同図（ｂ）に示すように、工具挿通孔の底部内面に、工具挿通孔の内側に向けて突出する環状の環状突出部８５４を設けてもよい。このような構成とすれば、取付ねじを取り外した場合に、取付ねじが工具挿通孔の外に容易に飛び出すのを防ぐことができ、取付ねじの紛失を未然に防止できる場合がある。
【００７７】
また、同図（ｃ）に示すように、工具挿通孔の内径を、工具挿通孔の先端部から底部に向けて次第に大きくしてもよい。このような構成とすれば、取付ねじの取り付けや取り外しが容易になる場合がある。
【００７８】
また、同図（ｄ）に示すように、払出基板取付部材の雌ねじ部８５６の外周が、対向する電源基板取付部材の雌ねじ部に嵌合可能な形状（電源基板取付部材と払出基板取付部材の長手方向の位置決めを行うことが可能な形状）に成形されていてもよい。
【００７９】
＜工具取付穴をパチンコ機の左右方向に設けた例＞
【００８０】
図１５は、扉部材１５６に電源基板取付部材７３０および払出基板取付部材８３０を取り付けた状態を示した図である。また、図１６は、扉部材１５６から電源基板取付部材７３０を取り外し、且つ、電源基板取付部材７３０から払出基板取付部材８３０を取り外した状態を示した図である。また、図１７は、電源基板取付部材７３０に払出基板取付部材８３０を取り付けた状態で扉部材１５６から電源基板取付部材７３０および払出基板取付部材８３０を取り外した状態を示した図である。また、図１８（ａ）は、電源基板取付部材７３０および払出基板取付部材８３０を正面斜め上から見た正面側斜視図であり、同図（ｂ）は、電源基板取付部材７３０および払出基板取付部材８３０を背面斜め上から見た背面側斜視図である。また、図１９（ａ）は、電源基板１６５が取り付けられた電源基板取付部材７３０に、払出基板１６６が取り付けられた払出基板取付部材８３０を取り付けた状態を左側から見た左側面図であり、同図（ｂ）は、同状態の背面図である。
【００８１】
この例では、図１６および図１７に示すように、扉側取付台８６０の雌ねじ部８６０ｂが扉部材１５６の背面視左側を向けて設けられている。また、この扉側取付台８６０の向きに合わせて、電源基板取付部材７３０の一方側円筒部７３４ａや、払出基板取付部材８３０の工具挿通孔８３４ａなども、各々の部材の端部側面（回動中心から最も離れた面）に形成されている。このように、工具挿通孔８３４ａが、払出基板取付部材８３０の他端側側面（回動中心から最も遠い面）に形成されていれば、内枠を少し回動させるだけで工具貫通孔を外部に露出させることができ、作業性を高めることができる場合がある。
【００８２】
＜工具取付穴をパチンコ機の上下方向に設けた例＞
【００８３】
図２０は、扉部材１５６から電源基板取付部材７７０を取り外し、且つ、電源基板取付部材７７０から払出基板取付部材８７０を取り外した状態を示した図である。また、図２１（ａ）は、電源基板取付部材７７０および払出基板取付部材８７０の正面図であり、同図（ｂ）は、電源基板取付部材７７０および払出基板取付部材８７０の背面図である。また、図２２（ａ）は、扉側取付台８９０の雌ねじ部８９０ｂと、電源基板取付部材７７０の固定部７７０ａと、払出基板取付部材８７０の工具挿通孔８７０ａを抜き出して示した図であり、同図（ｂ）は、扉側取付台８９０の雌ねじ部８９０ｂと、電源基板取付部材７７０の固定部７７０ａと、払出基板取付部材８７０の工具挿通孔８７０ａの断面図である。
【００８４】
この例では、図２０および図２２に示すように、扉側取付台８９０の雌ねじ部８９０ｂが扉部材１５６の背面視上側を向けて設けられている。また、この扉側取付台８９０の雌ねじ部８９０ｂの向きに合わせて、電源基板取付部材７７０の固定部７７０ａの円筒部や、払出基板取付部材８７０の工具挿通孔８７０ａも、各々の部材の上端部に形成されている。このように、工具挿通孔８７０ａが、払出基板取付部材８７０の上面であって払出基板取付部材８７０の回動中心から最も離れた位置に形成されていれば、内枠を少し回動させるだけで工具貫通孔を外部に露出させることができ、作業性を高めることができる場合がある。
【００８５】
以上説明したように、上記従来の遊技台では、奥側の遊技部材を取り外すためには、まず手前側の遊技部材を取り外す必要があり、奥側の遊技部材のメンテナンスに手間がかかる上に、奥側の遊技部材の配設位置や形状によって手前側の遊技部材の配設位置や形状が制約されるため、手前側の遊技部材の設計の自由度が低下してしまうといった問題があった。また、取付ねじなどの部品を遊技部材から取り外した際に、取り外した部品を紛失してしまうおそれもあった。
【００８６】
本発明は、このような従来の問題点を解決するためになされたものであって、遊技部材の配設位置や形状などの設計の自由度を高めるとともに、メンテナンスの作業性を向上させることができる遊技台を提供することを目的とする。
【００８７】
本発明に係る遊技台によれば、遊技部材の配設位置や形状などの設計の自由度を高めるとともに、メンテナンスの作業性を向上させることができる。
【００８８】
すなわち、本発明の実施形態例に係る遊技台（例えば、スロットマシン）は、第一の構造体（例えば、電源基板取付部材７００の固定部７０４）と、第二の構造体（例えば、払出基板取付部材８００の固定部８０４）と、第三の構造体（例えば、扉側取付台１６８）と、を備えた遊技台であって、前記遊技台は、スロットマシン（例えば、メダル（コイン）を遊技媒体としたスロットマシン）であり、前記第一の構造体は、前記第二の構造体と前記第三の構造体の間に少なくとも配置された構造体であり、前記第一の構造体は、ねじ（以下、「第一のねじ」という）によって前記第三の構造体に少なくとも取付可能な構造体であり、前記第二の構造体は、第一の孔（例えば、図１３の左側の一方側円筒部８０４ａの内側空間）が少なくとも設けられた構造体であり、前記第一の孔の大きさは、ドライバーの先端が少なくとも挿通可能な大きさであり、前記第一のねじ（例えば、図１３の左側の取付ねじ８５０）は、前記ドライバーによって操作されることで、前記第一の構造体および前記第三の構造体のうちの少なくとも一方から着脱可能なねじであり、前記第二の構造体は、前記第一の構造体に取付可能な構造体であり、前記第一のねじは、第一の場合（例えば、払出基板取付部材８００の固定部８０４が電源基板取付部材７００の固定部７０４に取り付けられている場合）に、前記ドライバーによって操作可能なねじであり、前記第一の場合とは、前記第二の構造体が前記第一の構造体に取付けられている場合のことであり、前記第二の構造体の少なくとも一部は、前記第一の構造体の少なくとも一部を覆う構造体である。
【００８９】
このような構成とすることにより、複数の構造体を位置決めされた状態でねじによりねじ止めすることで、当該複数の構造体同士の取り付けを行うことができるため、従来よりも取付作業が容易で、構造体の交換や点検などの際のメンテナンス性を高めることができる場合がある。また、複数の構造体同士の位置決めがうまくできていない場合には、例えば、工具を第一の孔（工具挿通孔）に挿入できない、あるいはねじ止めができないなど、構造体同士の取り付けを正常に行うことが困難となることがあるが、本願発明によれば、構造体同士を正規の位置で組み合わせて取り付けることが可能で、構造体同士がずれた状態で取付作業が行われることにより、取付の作業効率が低下したり、取付手段が破損したりするような事態を未然に防止することができる場合がある。また、ねじが脱落したとしても第一の孔（工具挿通孔）によってねじを、より確実に受けることができるため、ねじの紛失を防ぐとともにねじの取り付けや取り外しの作業効率を向上させることができる場合がある。
【００９０】
また、本発明の実施形態例に係る遊技台（例えば、ぱちんこ機１００）は、第一の構造体（例えば、電源基板取付部材７００の固定部７０４）と、第二の構造体（例えば、払出基板取付部材８００の固定部８０４）と、第三の構造体（例えば、扉側取付台１６８）と、を備えた遊技台であって、前記遊技台は、ぱちんこ機（例えば、ぱちんこ機１００）であり、前記第一の構造体は、前記第二の構造体と前記第三の構造体の間に少なくとも配置された構造体であり、前記第一の構造体は、ねじ（以下、「第一のねじ」という）によって前記第三の構造体に少なくとも取付可能な構造体であり、前記第二の構造体は、第一の孔（例えば、図１３の左側の一方側円筒部８０４ａの内側空間）が少なくとも設けられた構造体であり、前記第一の孔の大きさは、ドライバーの先端が少なくとも挿通可能な大きさであり、前記第一のねじ（例えば、図１３の左側の取付ねじ８５０）は、前記ドライバーによって操作されることで、前記第一の構造体および前記第三の構造体のうちの少なくとも一方から着脱可能なねじであり、前記第二の構造体は、前記第一の構造体に取付可能な構造体であり、前記第一のねじは、第一の場合（例えば、払出基板取付部材８００の固定部８０４が電源基板取付部材７００の固定部７０４に取り付けられている場合）に、前記ドライバーによって操作可能なねじであり、前記第一の場合とは、前記第二の構造体が前記第一の構造体に取付けられている場合のことであり、前記第二の構造体の少なくとも一部は、前記第一の構造体の少なくとも一部を覆う構造体である、ことを特徴とする遊技台である。
【００９１】
このような構成とすることにより、複数の構造体を位置決めされた状態でねじによりねじ止めすることで、当該複数の構造体同士の取り付けを行うことができるため、従来よりも取付作業が容易で、構造体の交換や点検などの際のメンテナンス性を高めることができる場合がある。また、複数の構造体同士の位置決めがうまくできていない場合には、例えば、工具を第一の孔（工具挿通孔）に挿入できない、あるいはねじ止めができないなど、構造体同士の取り付けを正常に行うことが困難となることがあるが、本願発明によれば、構造体同士を正規の位置で組み合わせて取り付けることが可能で、構造体同士がずれた状態で取付作業が行われることにより、取付の作業効率が低下したり、取付手段が破損したりするような事態を未然に防止することができる場合がある。また、ねじが脱落したとしても第一の孔（工具挿通孔）によってねじを、より確実に受けることができるため、ねじの紛失を防ぐとともにねじの取り付けや取り外しの作業効率を向上させることができる場合がある。
【００９２】
また、前記第一の構造体（例えば、電源基板取付部材７００の固定部７０４）は、ねじ（以下、「第二のねじ」という）によって前記第三の構造体（例えば、扉側取付台１６８）に少なくとも取付可能な構造体であり、前記第二の構造体（例えば、払出基板取付部材８００の固定部８０４）は、第二の孔（例えば、図１３の右側の一方側円筒部８０４ａの内側空間）が少なくとも設けられた構造体であり、前記第二の孔の大きさは、前記ドライバーの先端が少なくとも挿通可能な大きさであり、前記第二のねじ（例えば、図１３の右側の取付ねじ８５０）は、第二の場合（例えば、払出基板取付部材８００の固定部８０４が電源基板取付部材７００の固定部７０４に取り付けられている場合）に、前記ドライバーによって操作可能なねじであり、前記第二の場合とは、前記第二の構造体が前記第一の構造体に取付けられている場合のことである、ものであってもよい。
【００９３】
このような構成とすることにより、複数の箇所において、複数の構造体を位置決めされた状態でねじによりねじ止めし、当該複数の構造体同士の取り付けを行うことができるため、より確実に、構造体同士を正規の位置で組み合わせて取り付けることができる場合がある。
【００９４】
また、前記第一の構造体は、第三の孔（例えば、貫通孔７０４ｃ）が少なくとも設けられた構造体であり、前記第一の構造体は、前記第三の孔の外側に突出部（例えば、電源基板取付部材７００の他端側円筒部７０４ｂ）が少なくとも設けられた構造体であり、前記突出部は前記第一のねじ（例えば、取付ねじ８５０）の回転軸に沿う方向において該第一のねじの頭部よりも突出している、ものであってもよい。
【００９５】
このような構成とすることにより、第一のねじの頭部が外部に露出しにくくなるので、第一のねじへの意図しない接触などによって第一のねじが緩むことを防ぐとともに、第一のねじを取り外す不正の機会も抑制することができる場合がある。
【００９６】
また、前記第一の構造体は、透明部材により少なくとも構成された構造体であり、前記第二の構造体は、透明部材により少なくとも構成された構造体である、ものとしてもよい。
また、本発明の実施形態例に係る遊技台（例えば、スロットマシン）は、第一の構造体（例えば、電源基板取付部材７００の固定部７０４）と、第二の構造体（例えば、払出基板取付部材８００の固定部８０４）と、第三の構造体（例えば、扉側取付台１６８）と、を備えた遊技台であって、前記遊技台は、スロットマシン（例えば、メダル（コイン）を遊技媒体としたスロットマシン）であり、前記第一の構造体は、前記第二の構造体と前記第三の構造体の間に少なくとも配置された構造体であり、前記第一の構造体は、ねじ（以下、「第一のねじ」という）によって前記第三の構造体に少なくとも取付可能な構造体であり、前記第二の構造体は、第一の孔（例えば、図１３の左側の一方側円筒部８０４ａの内側空間）が少なくとも設けられた構造体であり、前記第一の孔の大きさは、ドライバーの先端が少なくとも挿通可能な大きさであり、前記第一のねじ（例えば、図１３の左側の取付ねじ８５０）は、ドライバーによって操作されることで、前記第一の構造体から着脱可能なねじであり、前記第二の構造体は、前記第一の構造体に取付可能な構造体であり、前記第二の構造体が前記第一の構造体に取付けられていても、ドライバーによって前記第一のねじが操作可能であり、前記第二の構造体の少なくとも一部は、前記第一の構造体の少なくとも一部を覆う構造体であり、前記第一の構造体は、第二の孔（例えば、貫通孔７０４ｃ）が少なくとも設けられた構造体であり、前記第一の構造体は、前記第二の孔の外側に突出部（例えば、電源基板取付部材７００の他端側円筒部７０４ｂ）が少なくとも設けられた構造体であり、前記突出部は前記第一のねじの回転軸に沿う方向において該第一のねじの頭部よりも突出している、ことを特徴とする遊技台である。
このような構成とすることにより、複数の構造体を位置決めされた状態でねじによりねじ止めすることで、当該複数の構造体同士の取り付けを行うことができるため、従来よりも取付作業が容易で、構造体の交換や点検などの際のメンテナンス性を高めることができる場合がある。また、複数の構造体同士の位置決めがうまくできていない場合には、例えば、工具を第一の孔（工具挿通孔）に挿入できない、あるいはねじ止めができないなど、構造体同士の取り付けを正常に行うことが困難となることがあるが、本願発明によれば、構造体同士を正規の位置で組み合わせて取り付けることが可能で、構造体同士がずれた状態で取付作業が行われることにより、取付の作業効率が低下したり、取付手段が破損したりするような事態を未然に防止することができる場合がある。また、ねじが脱落したとしても第一の孔（工具挿通孔）によってねじを、より確実に受けることができるため、ねじの紛失を防ぐとともにねじの取り付けや取り外しの作業効率を向上させることができる場合がある。
また、第一のねじの頭部が外部に露出しにくくなるので、第一のねじへの意図しない接触などによって第一のねじが緩むことを防ぐとともに、第一のねじを取り外す不正の機会も抑制することができる場合がある。
また、本発明の実施形態例に係る遊技台（例えば、ぱちんこ機１００）は、第一の構造体（例えば、電源基板取付部材７００の固定部７０４）と、第二の構造体（例えば、払出基板取付部材８００の固定部８０４）と、第三の構造体（例えば、扉側取付台１６８）と、を備えた遊技台であって、前記遊技台は、ぱちんこ機（例えば、ぱちんこ機１００）であり、前記第一の構造体は、前記第二の構造体と前記第三の構造体の間に少なくとも配置された構造体であり、前記第一の構造体は、ねじ（以下、「第一のねじ」という）によって前記第三の構造体に少なくとも取付可能な構造体であり、前記第二の構造体は、第一の孔（例えば、図１３の左側の一方側円筒部８０４ａの内側空間）が少なくとも設けられた構造体であり、前記第一の孔の大きさは、ドライバーの先端が少なくとも挿通可能な大きさであり、前記第一のねじ（例えば、図１３の左側の取付ねじ８５０）は、ドライバーによって操作されることで、前記第一の構造体から着脱可能なねじであり、前記第二の構造体は、前記第一の構造体に取付可能な構造体であり、前記第二の構造体が前記第一の構造体に取付けられていても、ドライバーによって前記第一のねじが操作可能であり、前記第二の構造体の少なくとも一部は、前記第一の構造体の少なくとも一部を覆う構造体であり、前記第一の構造体は、第二の孔（例えば、貫通孔７０４ｃ）が少なくとも設けられた構造体であり、前記第一の構造体は、前記第二の孔の外側に突出部（例えば、電源基板取付部材７００の他端側円筒部７０４ｂ）が少なくとも設けられた構造体であり、前記突出部は前記第一のねじの回転軸に沿う方向において該第一のねじの頭部よりも突出している、ことを特徴とする遊技台である。
このような構成とすることにより、複数の構造体を位置決めされた状態でねじによりねじ止めすることで、当該複数の構造体同士の取り付けを行うことができるため、従来よりも取付作業が容易で、構造体の交換や点検などの際のメンテナンス性を高めることができる場合がある。また、複数の構造体同士の位置決めがうまくできていない場合には、例えば、工具を第一の孔（工具挿通孔）に挿入できない、あるいはねじ止めができないなど、構造体同士の取り付けを正常に行うことが困難となることがあるが、本願発明によれば、構造体同士を正規の位置で組み合わせて取り付けることが可能で、構造体同士がずれた状態で取付作業が行われることにより、取付の作業効率が低下したり、取付手段が破損したりするような事態を未然に防止することができる場合がある。また、ねじが脱落したとしても第一の孔（工具挿通孔）によってねじを、より確実に受けることができるため、ねじの紛失を防ぐとともにねじの取り付けや取り外しの作業効率を向上させることができる場合がある。
また、第一のねじの頭部が外部に露出しにくくなるので、第一のねじへの意図しない接触などによって第一のねじが緩むことを防ぐとともに、第一のねじを取り外す不正の機会も抑制することができる場合がある。
また、前記第一の構造体（例えば、電源基板取付部材７００の固定部７０４）は、ねじ（以下、「第二のねじ」という）によって前記第三の構造体（例えば、扉側取付台１６８）に少なくとも取付可能な構造体であり、前記第二の構造体（例えば、払出基板取付部材８００の固定部８０４）は、第三の孔（例えば、図１３の右側の一方側円筒部８０４ａの内側空間）が少なくとも設けられた構造体であり、前記第三の孔の大きさは、ドライバーの先端が少なくとも挿通可能な大きさであり、前記第二の構造体が前記第一の構造体に取付けられていても、ドライバーによって前記第二のねじが操作可能である、ものであってもよい。
また、前記第一の構造体は、透明部材により少なくとも構成された構造体であり、前記第二の構造体は、透明部材により少なくとも構成された構造体であってもよい。
【００９７】
また、本実施形態に係る遊技台は、第一の構造体（例えば、電源基板取付部材７００の固定部７０４）と、第二の構造体（例えば、払出基板取付部材８００の固定部８０４）と、第三の構造体（例えば、扉側取付台１６８）と、を備えた遊技台であって、前記遊技台は、ぱちんこ機またはスロットマシンであり、前記第一の構造体の少なくとも一部は、前記第二の構造体と前記第三の構造体の間に配置される構造体であり、前記第一の構造体は、取付手段（例えば、取付ねじ８５０）によって前記第三の構造体に少なくとも取付可能な構造体であり、前記取付手段は、工具によって操作することで、前記第一の構造体および前記第二の構造体のうちの少なくとも一方から着脱可能な手段であり、前記第二の構造体は、工具を挿通可能な工具挿通孔（例えば、一方側円筒部８０４ａの内側空間）が少なくとも設けられた構造体であり、前記工具挿通孔を取付位置（以下、「第一の取付位置」という。）に対して位置決め可能な位置決め構造（以下、「第一の位置決め構造」という。）が少なくとも設けられており、前記第一の取付位置は、前記第一の構造体における前記取付手段を取り付ける位置であり、前記第一の構造体および前記第二の構造体は、前記第一の位置決め構造によって位置決めされている状態で、ねじによりねじ止め可能な構造体である、ことを特徴とする遊技台である。
【００９８】
このような構成とすることにより、位置決め構造によって複数の構造体の位置決めを行い、その位置決めされた状態でさらにねじによりねじ止めすることで、当該複数の構造体同士の取り付けを行うことができるため、従来よりも取付作業が容易で、構造体の交換や点検などの際のメンテナンス性を高めることができる場合がある。また、複数の構造体同士の位置決めがうまくできていない場合には、例えば、工具を工具挿通孔に挿入できない、あるいはねじ止めができないなど、構造体同士の取り付けを正常に行うことが困難となることがあるが、本願発明によれば、構造体同士を正規の位置で組み合わせて取り付けることが可能で、構造体同士がずれた状態で取付作業が行われることにより、取付の作業効率が低下したり、取付手段が破損したりするような事態を未然に防止することができる場合がある。また、ねじが脱落したとしても工具挿通孔によってねじを、より確実に受けることができるため、ねじの紛失を防ぐとともにねじの取り付けや取り外しの作業効率を向上させることができる場合がある。
【００９９】
また、前記第一の取付位置は、前記取付手段が挿通可能な挿通孔（例えば、貫通孔７０４ｃ）が設けられた位置であってもよい。
【０１００】
また、前記工具挿通孔と前記第一の取付位置の位置関係は、前記第一の位置決め構造による位置決めによって、特定の位置関係になるものであり、
【０１０１】
前記第一の取付位置にある前記取付手段は、前記工具挿通孔を挿通させた工具によりアクセス可能であってもよい。
【０１０２】
前記第一の取付位置を第二の取付位置に対して位置決め可能な第二の位置決め構造が設けられており、
【０１０３】
前記第二の取付位置は、前記第三の構造体（例えば、扉側取付台１６８）における前記取付手段（例えば、取付ねじ８５０）を取り付ける位置であってもよい。
【０１０４】
また、前記第一の構造体（例えば、電源基板取付部材７００の固定部７０４）には、前記第一の構造体および前記第二の構造体（例えば、払出基板取付部材８００の固定部８０４）の一方を他方に取り付ける際に、前記工具挿通孔（例えば、一方側円筒部８０４ａの内側空間）を前記第一の取付位置に案内するためのガイド部（例えば、電源基板取付部材７００の他端側円筒部７０４ｂは）が形成されている、ものであってもよい。
【０１０５】
また、本実施例に係るパチンコ機１００は、遊技者が遊技した結果が特定の結果である場合（例えば、大当たりに対応する図柄が特図表示装置１１４に表示された場合）に前記遊技者に遊技価値（例えば、大当たり遊技）を付与する遊技台であって、取付部（例えば、扉側取付台１６８）と、前記遊技に関連して動作する遊技装置（例えば、電源基板１６５）を有し、取付手段（例えば、取付ねじ８５０）によって前記取付部に取り付け可能な第１遊技部材（例えば、電源基板取付部材７００）と、前記第１遊技部材を挟んで前記取付部の反対側に配置される第２遊技部材（例えば、払出基板取付部材８００）と、を備え、前記第２遊技部材には、前記取付手段を操作して前記第１遊技部材を前記取付部から取り外すための工具（例えば、ドライバ）を挿通可能な工具挿通孔（例えば、一方側円筒部８０４ａの内側空間）が形成されていることを特徴とする、遊技台である。
【０１０６】
本実施例に係るパチンコ機１００によれば、第２遊技部材を取り外さずに工具挿通孔を介して第１遊技部材のみ取り外すことができるため、第１遊技部材と取付部が対向する面に不正な改造が施されていないかなどを容易に点検することができ、遊技台のメンテナンス性を高めることができる場合がある。また、取付手段の位置にかかわらず第２遊技部材の外形や大きさを自由に設計することができ、遊技台を構成する部材の設計の自由度を高めることができる場合がある。
【０１０７】
また、前記取付手段は、前記工具によって回動可能な頭部、および前記取付部に螺合可能なねじ部を有する取付ねじ（例えば、取付ねじ８５０）を含み、前記工具挿通孔の内径が、前記取付ねじの頭部の外径よりもわずかに大きくてもよい。
【０１０８】
このような構成とすれば、取付ねじが脱落したとしても工具挿通孔によって取付ねじを受けることができるため、取付ねじの紛失を防ぐとともに取付ねじの取り付けや取り外しの作業効率を向上させることができる場合がある。
【０１０９】
また、前記工具挿通孔の深さが、前記取付ねじの全長以上であってもよい。
【０１１０】
このような構成とすれば、取付ねじが脱落したとしても工具挿通孔によって取付ねじを、より確実に受けることができるため、取付ねじの紛失を防ぐとともに取付ねじの取り付けや取り外しの作業効率を向上させることができる場合がある。
【０１１１】
また、前記第１遊技部材および前記第２遊技部材が、透明部材で構成されていてもよい。
【０１１２】
このような構成とすれば、取り付けの緩みなどの不具合を発見し易い上に、不正行為の痕跡を発見しやすい場合がある。
【０１１３】
また、前記第２遊技部材における前記工具挿通孔の周囲が、前記第１遊技部材に当接可能に構成してもよい。
【０１１４】
このような構成とすれば、第１遊技部材を第２遊技部材に取り付ける際に、位置決めが容易となる上に、第２遊技部材を第１遊技部材に確実に取り付けることができ、第２遊技部材のがたつきや横ずれを抑えることができる場合がある。
【０１１５】
また、前記第２遊技部材における前記工具挿通孔の周囲に、前記第１遊技部材側に突出する突出部（例えば、一方側円筒部８０４ａ）が形成されていてもよい。
【０１１６】
このような構成とすれば、第１遊技部材を第２遊技部材に取り付ける際に、位置決めが容易となる上に、第２遊技部材を第１遊技部材に確実に取り付けることができ、第２遊技部材のがたつきや横ずれを抑えることができる場合がある。
【０１１７】
また、前記第１遊技部材には、前記第２遊技部材を前記第１遊技部材に取り付ける際に前記第２遊技部材の突出部を所定位置に案内するための第２遊技部材ガイド部（例えば、電源基板取付部材７００の他端側円筒部７０４ｂ）が形成され、前記第２遊技部材ガイド部における前記第２遊技部材側の端部は、前記第２遊技部材に当接可能であってもよい。
【０１１８】
このような構成とすれば、突出部を第２遊技部材ガイド部によって所定位置に案内することができるため、第２遊技部材の第１遊技部材への組付性が向上する場合がある。また、第２遊技部材のがたつきや横ずれを抑えることができる場合がある。
【０１１９】
また、前記第２遊技部材ガイド部における前記第２遊技部材側の端部内面が、前記第２遊技部材側から前記第１遊技部材側に向かって次第に内径が小さくなるテーパ形状とされていてもよい。
【０１２０】
このような構成とすれば、突出部を、より確実に所定位置に案内することができ、第２遊技部材の第１遊技部材への組付性が向上する場合がある。
【０１２１】
また、上記図１４（ａ）に示すように、前記第２遊技部材における前記工具挿通孔の周囲に、前記第１遊技部材側とは反対方向に突出する補強部（例えば、リブ８５２）が形成されていてもよい。
【０１２２】
このような構成とすれば、工具挿通孔周辺の強度を高めることができる場合がある。
【０１２３】
また、前記第１遊技部材には、前記取付部側に突出する第２突出部（例えば、一方側円筒部７０４ａ）が形成され、前記取付部には、前記第１遊技部材を前記取付部に取り付ける際に前記第１遊技部材の第２突出部を所定位置に案内するための第１遊技部材ガイド部（例えば、雌ねじ部１６８ｂ）が形成されていてもよい。
【０１２４】
このような構成とすれば、第２突出部を第１遊技部材ガイド部によって所定位置に案内することができるため、第１遊技部材の取付部への組付性が向上する場合がある。また、第１遊技部材のがたつきや横ずれを抑えることができる場合がある。
【０１２５】
また、前記取付部における前記第１遊技部材ガイド部の底部外面、および、前記第１遊技部材における前記第２突出部の端部内面は、同一のテーパ角を有するテーパ形状とされていてもよい。
【０１２６】
このような構成とすれば、取付部に対する第１遊技部材の位置決めをさらに確実に行うことができる場合がある。
【０１２７】
また、前記取付部における前記第１遊技部材側の面、または、前記第１遊技部材における前記取付部側の面に、前記遊技に関連して動作する第２遊技装置（例えば、発射モータ６０２）が配設されていてもよい。
【０１２８】
このような構成とすれば、第２遊技装置のメンテナンス性を高めることができる場合がある。
【０１２９】
また、前記第１遊技部材は、一端側が回動自在に支持されるとともに、他端側が前記取付手段によって前記取付部に取り付け可能とされ、前記第２遊技部材は、一端側が前記第１遊技部材と同一の軸上で回動自在に支持されるとともに、他端側に前記工具挿通孔が形成されていてもよい。
【０１３０】
このような構成とすれば、第１遊技部材を取付部から取り外したり、第２遊技部材を第１遊技部材から取り外したりしても、第２遊技部材や第１遊技部材の一端側は常に支持されているため、作業性を高めることができる場合がある。
【０１３１】
また、遊技島に固定される外枠（例えば、外枠１５７）と、前記取付部を有する内枠（例えば、扉部材１５６）と、をさらに備え、前記内枠は、一端側が前記外枠の一端側に回動自在に支持され、前記第２遊技部材の他端側は、前記内枠の他端側と同じ側に配置されていてもよい。
【０１３２】
このような構成とすれば、内枠を少し回動させるだけで第２遊技部材の他端側の工具貫通孔を外部に露出させることができ、作業性を高めることができる場合がある。
【０１３３】
また、前記第２遊技部材は、第２取付手段（例えば、取付ねじ）によって前記取付部または前記第１遊技部材に取り付け可能とされ、前記工具挿通孔の位置と前記第２取付手段の取り付け位置を、前記第２遊技部材の同一面上に略一直線上に配置してもよい。
【０１３４】
このような構成とすれば、取付手段と第２取付手段の取り付け位置を容易に認識することができ、メンテナンス性をさらに高めることができる場合がある。
【０１３５】
また、前記工具挿通孔の位置と前記第２取付手段の取り付け位置を、前記第２遊技部材の異なる面上に配置してもよい。
【０１３６】
このような構成とすれば、取付手段と第２取付手段を容易に区別することができ、メンテナンス性をさらに高めることができる場合がある。
【０１３７】
また、上述のように、前記工具挿通孔が、前記第２遊技部材の他端側側面（回動中心から最も遠い面）に形成されていてもよいし、前記第２遊技部材の上面であって第２遊技部材の回動中心から最も離れた位置に形成されていてもよい。
【０１３８】
このような構成とすれば、内枠を少し回動させるだけで第２遊技部材の他端側の工具挿通孔を外部に露出させることができ、作業性を高めることができる場合がある。
【０１３９】
なお、上記実施例では、本発明に係る「第１遊技部材」として電源基板取付部材を、また、本発明に係る「第２遊技部材」として払出基板取付部材を例示したが、本発明はこれに限定されるものではない。
【０１４０】
また、第１遊技部材と第２遊技部材の間に他の遊技部材を配設し、他の遊技部材の所定位置（第２遊技部材の工具挿通孔と同じ軸上の位置）に工具挿通孔を形成してもよい。
【０１４１】
また、第１遊技部材の背面に何らかの遊技装置を設けてもよく、その場合、第１遊技部材の取付ねじを外すことでその遊技装置を点検することができる。
【０１４２】
また、本実施例に係るパチンコ機１００は、遊技者が遊技した結果が特定の結果である場合に遊技者に遊技価値を付与する遊技台であって、取付部（例えば、扉側取付台１６８）と、第一の遊技部材（例えば、電源基板取付部材７００）と、第二の遊技部材（払出基板取付部材８００）と、が設けられており、前記第一の遊技部材は、取付手段（例えば、取付ねじ８５０）によって前記取付部に取り付け可能に構成され、前記第二の遊技部材は、前記第一の遊技部材を挟んで前記取付部の反対側に配置され、前記第二の遊技部材には、前記取付手段を操作して前記第一の遊技部材と前記取付部を着脱するための工具（例えば、ドライバ）を挿通可能な工具挿通孔（例えば、一方側円筒部８０４ａの内側空間）が形成され、前記工具挿通孔を第一の取付位置に対して位置決め可能な位置決め構造が設けられており、前記第一の取付位置は、前記第一の遊技部材における前記取付手段の取付位置である、ことを特徴とする遊技台である。
【０１４３】
このような構成によれば、位置決め構造によって複数の部材の位置決めを行った上で、当該複数の部材同士の取り付けを行うことができるため、従来よりも取付作業が容易で、遊技部材の交換や点検などの際のメンテナンス性を高めることができる場合がある。
【０１４４】
また、複数の部材同士の位置決めがうまくできていない場合には、例えば、工具を工具挿通孔に挿入できないなど、部材同士の取り付けを正常に行うことが困難となることがあるが、本願発明によれば、部材同士を正規の位置で組み合わせて取り付けることが可能で、部品同士がずれた状態で取付作業が行われることにより、取付の作業効率が低下したり、取付手段が破損したりするような事態を未然に防止することができる場合がある。
【０１４５】
また、第二の遊技部材を取り外さずに工具挿通孔を介して第一の遊技部材のみ取り外すことができるため、第一の遊技部材と取付部が対向する面に不正な改造が施されていないかなどを容易に点検することができ、遊技台のメンテナンス性を高めることができる場合がある。
【０１４６】
また、取付手段の位置にかかわらず第二の遊技部材の外形や大きさを自由に設計することができ、遊技台を構成する部材の設計の自由度を高めることができる場合がある。
【０１４７】
また、前記第一の取付位置を第二の取付位置に対して位置決め可能な第二の位置決め構造が設けられており、前記第二の取付位置は、前記取付部における前記取付手段の取付位置であってもよい。
【０１４８】
このような構成によれば、第一の遊技部材における取付手段の取付位置と取付部における取付手段の取付位置との相対位置が正しい位置となるように、第一の遊技部材と取付部とを取り付けることができる結果、工具挿入孔に挿通した工具によって取付手段を的確に操作し、第一の遊技部材と取付部を確実に着脱することができる場合がある。
【０１４９】
また、前記第一の遊技部材には、前記第一の遊技部材および前記第二の遊技部材の一方を他方に取り付ける際に、前記工具挿通孔を前記第一の取付位置に案内するための第一のガイド部が形成されている、ものとしてもよい。
【０１５０】
このような構成によれば、第一の遊技部材における取付手段の取付位置と第二の遊技部材における取付手段の取付位置との相対位置が正しい位置となるように、第一の遊技部材と第二の遊技部材とを取り付けることができる結果、工具挿入孔に挿通した工具によって取付手段を的確に操作し、第一の遊技部材と取付部を確実に着脱することができる場合がある。
【０１５１】
また、前記第一の遊技部材には、前記取付部および前記第一の遊技部材の一方を他方に取り付ける際に、前記第一の取付位置を前記第二の取付位置に案内するための第二のガイド部が形成されている、ものとしてもよい。
【０１５２】
このような構成によれば、第一の遊技部材における取付手段の取付位置と取付部における取付手段の取付位置との相対位置が正しい位置となるように、第一の遊技部材と取付部とを取り付けることができる結果、工具挿入孔に挿通した工具によって取付手段を的確に操作し、第一の遊技部材と取付部を確実に着脱することができる場合がある。
【０１５３】
また、前記取付手段は、前記工具によって回動可能な頭部、および前記取付部に螺合可能なねじ部を有する取付ねじを含み、前記位置決め構造は、前記工具挿通孔の中心軸と前記取付ねじの中心軸とを同軸的に配置するための位置決め構造であってもよい。
【０１５４】
このような構成によれば、第二の遊技部材の工具挿通孔の中心軸と取付ねじの中心軸が同軸的に配置されるように、第二の遊技部材を取り付けることができる結果、工具挿入孔に挿通した工具によって取付ねじを的確に操作し、第一の遊技部材と取付部を確実に着脱することができる場合がある。
【０１５５】
また、前記遊技価値の付与には、大当り遊技の開始が含まれてもよい。
【０１５６】
また、本実施例に係るパチンコ機１００は、第一の構造体（例えば、電源基板取付部材７００）と、第二の構造体（例えば、払出基板取付部材８００）と、第三の構造体（例えば、扉側取付台１６８）と、を備えた遊技台であって、前記遊技台は、ぱちんこ機またはスロットマシンであり、前記第一の構造体の少なくとも一部は、前記第二の構造体と前記第三の構造体の間に配置されるものであり、前記第一の構造体は、取付手段（例えば、取付ねじ８５０）によって前記第三の構造体に少なくとも取付可能なものであり、前記取付手段は、工具によって操作することで、前記第一の構造体および前記第三の構造体のうちの少なくとも一方から着脱可能なものであり、前記第二の構造体は、工具を挿通可能な工具挿通孔（例えば、一方側円筒部８０４ａの内側空間）が少なくとも設けられたものであり、前記工具挿通孔を取付位置に対して位置決め可能な位置決め構造（例えば、他端側円筒部７０４ｂ）が少なくとも設けられており、前記取付位置は、前記第一の構造体における前記取付手段を取り付ける位置であり、前記第一の構造体および前記第二の構造体は、前記位置決め構造によって位置決めされている状態でねじによりねじ止め可能なものである。
【０１５７】
このような構成によれば、位置決め構造によって複数の構造体の位置決めを行い、その位置決めされた状態でさらにねじによりねじ止めすることで、当該複数の構造体同士の取り付けを行うことができるため、従来よりも取付作業が容易で、構造体の交換や点検などの際のメンテナンス性を高めることができる場合がある。
【０１５８】
また、複数の構造体同士の位置決めがうまくできていない場合には、例えば、工具を工具挿通孔に挿入できない、あるいはねじ止めができないなど、構造体同士の取り付けを正常に行うことが困難となることがあるが、本願発明によれば、構造体同士を正規の位置で組み合わせて取り付けることが可能で、構造体同士がずれた状態で取付作業が行われることにより、取付の作業効率が低下したり、取付手段が破損したりするような事態を未然に防止することができる場合がある。
【０１５９】
また、ねじが脱落したとしても工具挿通孔によってねじを、より確実に受けることができるため、ねじの紛失を防ぐとともにねじの取り付けや取り外しの作業効率を向上させることができる場合がある。
【０１６０】
また、第二の構造体を取り外さずに工具挿通孔を介して第一の構造体のみ取り外すことができるため、第一の構造体と第三の構造体が対向する面に不正な改造が施されていないかなどを容易に点検することができ、遊技台のメンテナンス性を高めることができる場合がある。
【０１６１】
また、取付手段の位置にかかわらず第二の構造体の外形や大きさを自由に設計することができ、遊技台を構成する構造体の設計の自由度を高めることができる場合がある。
【０１６２】
また、前記取付位置は、前記取付手段（例えば、取付ねじ８５０）が挿通可能な挿通孔（例えば、工具挿通孔）が設けられた位置であるとしてもよい。
【０１６３】
このような構成によれば、位置決め構造によって複数の構造体の位置決めを行い、その位置決めされた状態でさらにねじによりねじ止めすることで、当該複数の構造体同士の取り付けを行うことができるため、従来よりも取付作業が容易で、構造体の交換や点検などの際のメンテナンス性を高めることができる場合がある。
【０１６４】
また、複数の構造体同士の位置決めがうまくできていない場合には、例えば、工具を工具挿通孔に挿入できない、あるいはねじ止めができないなど、構造体同士の取り付けを正常に行うことが困難となることがあるが、本願発明によれば、構造体同士を正規の位置で組み合わせて取り付けることが可能で、構造体同士がずれた状態で取付作業が行われることにより、取付の作業効率が低下したり、取付手段が破損したりするような事態を未然に防止することができる場合がある。
【０１６５】
また、ねじが脱落したとしても工具挿通孔によってねじを、より確実に受けることができるため、ねじの紛失を防ぐとともにねじの取り付けや取り外しの作業効率を向上させることができる場合がある。
【０１６６】
また、前記工具挿通孔と前記取付位置の位置関係は、前記位置決めによって、特定の位置関係になるものであり、前記取付位置にある前記取付手段（例えば、取付ねじ８５０）は、前記工具挿通孔を挿通させた工具によりアクセス可能としてもよい。
【０１６７】
このような構成によれば、第二の構造体を取り外さずに工具挿通孔を介して第一の構造体のみ取り外すことができるため、第一の構造体と第三の構造体が対向する面に不正な改造が施されていないかなどを容易に点検することができ、遊技台のメンテナンス性を高めることができる場合がある。また、取付手段の位置にかかわらず第二の構造体の外形や大きさを自由に設計することができ、遊技台を構成する構造体の設計の自由度を高めることができる場合がある。
【０１６８】
また、前記取付位置は、前記第一の取付位置であり、前記第一の取付位置を第二の取付位置に対して位置決め可能な第二の位置決め構造が設けられており、前記第二の取付位置は、前記第三の構造体（例えば、扉側取付台１６８）における前記取付手段（例えば、取付ねじ８５０）の取付位置である、としてもよい。
【０１６９】
このような構成によれば、第一の構造体における取付手段の取付位置と第三の構造体における取付手段の取付位置との相対位置が正しい位置となるように、第一の構造体と第三の構造体とを取り付けることができる結果、工具挿入孔に挿通した工具によって取付手段を的確に操作し、第一の構造体と第三の構造体を確実に着脱することができる場合がある。
【０１７０】
また、前記第一の構造体（例えば、電源基板取付部材７００）には、前記第一の構造体および前記第二の構造体（例えば、払出基板取付部材８００）の一方を他方に取り付ける際に、前記工具挿通孔を前記第一の取付位置に案内するための第一のガイド部（例えば、電源基板取付部材７００の他端側円筒部７０４ｂ）が形成するものとしてもよい。
【０１７１】
このような構成によれば、第一の構造体における取付手段の取付位置と第二の構造体における取付手段の取付位置との相対位置が正しい位置となるように、第一の構造体と第二の構造体とを取り付けることができる結果、工具挿入孔に挿通した工具によって取付手段を的確に操作し、第一の構造体と第三の構造体を確実に着脱することができる場合がある。
【０１７２】
なお、上記実施例においては、遊技球を遊技媒体としたパチンコ機の例を示したが、本発明はこれに限定されるものではなく、例えば、メダル（コイン）を遊技媒体としたスロットマシンなどにも適用可能である。
【０１７３】
ここで、本発明が適用されるスロットマシンとしては、複数種類の図柄が施された複数のリールと、前記複数のリールの回転を開始させるスタートスイッチと、前記複数のリールの各々に対応して設けられ、前記リールの回転を個別に停止させるストップスイッチと、予め定められた複数種類の入賞役の内部当選の当否を抽選により判定する抽選手段と、停止時の前記複数のリールにより表示された図柄の組合せが前記抽選手段により内部当選した入賞役の図柄組合せであるか否かにより前記入賞役への入賞を判定する判定手段と、を備えたものが一例として挙げられる。
【０１７４】
また、例えば、パチンコ機等の実機の動作を家庭用ゲーム機用として擬似的に実行するようなゲームプログラムにおいても、本発明を適用してゲームを実行することができる。
【０１７５】
なお、本発明の実施の形態に記載された作用および効果は、本発明から生じる最も好適な作用および効果を列挙したに過ぎず、本発明による作用および効果は、本発明の実施の形態に記載されたものに限定されるものではない。また、実施例に記載した複数の構成のうち、１つの構成に記載している内容を、他の構成に適用することでより遊技の幅を広げられる場合がある。
【産業上の利用可能性】
【０１７６】
本発明に係る遊技台は、スロットマシンや遊技機（パチンコ等）に代表される遊技台に適用することができる。
【符号の説明】
【０１７７】
１００  パチンコ機
１０２  遊技盤
１０４  遊技領域
１１０  装飾図柄表示装置
１１２  普図表示装置
１１４  特図表示装置
１２２  一般入賞口
１２４  普図始動口
１２６  第１特図始動口
１２８  第２特図始動口
１３０  可変入賞口
１６８  扉側取付台
３００  主制御部
４００、５００  副制御部
５５０  払出制御部
６００  発射制御部
６５０  電源管理部
７００  電源基板取付部材
８００  払出基板取付部材
【図１】
0005618341.tif 000002
【図２】
0005618341.tif 000003
【図３】
0005618341.tif 000004
【図４】
0005618341.tif 000005
【図５】
0005618341.tif 000006
【図６】
0005618341.tif 000007
【図７】
0005618341.tif 000008
【図８】
0005618341.tif 000009
【図９】
0005618341.tif 000010
【図１０】
0005618341.tif 000011
【図１１】
0005618341.tif 000012
【図１２】
0005618341.tif 000013
【図１３】
0005618341.tif 000014
【図１４】
0005618341.tif 000015
【図１５】
0005618341.tif 000016
【図１６】
0005618341.tif 000017
【図１７】
0005618341.tif 000018
【図１８】
0005618341.tif 000019
【図１９】
0005618341.tif 000020
【図２０】
0005618341.tif 000021
【図２１】
0005618341.tif 000022
【図２２】
0005618341.tif 000023